(57)【特許請求の範囲】
【請求項１】
ＨＭＩシステムでモニタリングビューアーを表示するための方法において、
ユーザから前記モニタリングビューアーの表示要請が入力されると、前記モニタリングビューアーに表示される画面データを獲得するステップ；及び
前記画面データを利用して前記モニタリングビューアーのビュー領域にモニタリング画面を表示するステップを含み、
前記ビュー領域は、一つ以上のタブを含み、
前記一つ以上のタブは、活性タブ及び非活性タブを含み、
前記活性タブの更新周期と前記非活性タブの更新周期は、互いに異なるように設定され、前記非活性タブの更新周期は、前記非活性タブに表示される画面の大きさが大きいほど、より短く設定される、
モニタリングビューアー表示方法。
【請求項２】
前記ユーザから前記モニタリングビューアーの表示要請が入力される前に、優先画面データを一般メモリからローディングしてキャッシュメモリに格納するステップをさらに含む、
請求項１に記載のモニタリングビューアー表示方法。
【請求項３】
前記優先画面データは、
前記ユーザにより予め指定された画面データ及び処理時間が予め指定された基準処理時間を超える画面データの少なくとも一つを含む、
請求項２に記載のモニタリングビューアー表示方法。
【請求項４】
前記モニタリングビューアーに表示される画面データを獲得するステップは、
キャッシュメモリを検索して前記画面データを獲得するステップ；及び
一般メモリから獲得されるデータを利用して前記画面データを構成するステップを含む、
請求項１乃至３のいずれか一項に記載のモニタリングビューアー表示方法。
【請求項５】
前記活性タブの更新周期は、前記非活性タブの更新周期より短く設定される、
請求項１乃至４のいずれか一項に記載のモニタリングビューアー表示方法。
【請求項６】
ユーザが前記非活性タブのいずれか一つを活性化させると、活性化される非活性タブが直ちに更新される、
請求項１乃至５のいずれか一項に記載のモニタリングビューアー表示方法。
【請求項７】
ディスプレイ上に前記モニタリングビューアーのコントロール領域を表示するステップ；及び
前記ディスプレイ上に前記モニタリングビューアーのビュー領域を表示するステップをさらに含む、
請求項１乃至６のいずれか一項に記載のモニタリングビューアー表示方法。
【発明の詳細な説明】
【技術分野】
【０００１】
本発明は、ＨＭＩシステムでモニタリングビューアーを表示するための方法に関する。
【背景技術】
【０００２】
工場自動化に用いられるＰＬＣ（Ｐｒｏｇｒａｍｍａｂｌｅ  Ｌｏｇｉｃａｌ  Ｃｏｎｔｒｏｌｌｅｒ）と通信してユーザに視覚的に情報を提供するためにＨＭＩ（Ｈｕｍａｎ  Ｍａｃｈｉｎｅ  Ｉｎｔｅｒｆａｃｅ）システムが用いられる。ＨＭＩシステムは、ＰＬＣだけでなく、カメラ、その他のメディア装置等とも連結されて作業者に向上した管理サービスを提供し、モニタリングされた結果を視覚的に示す。このようなＨＭＩシステムは、作業現場を遠隔地でモニタリングして事故現場を遠距離で観察できるようにする一方、事故が発生すると、現在時点の場面と事故以前／以後の情報を格納及びリアルタイムでモニタリングできるようにする。
【０００３】
ＨＭＩシステムでは、モニタリングのための各種の情報をユーザに提供するためのプログラム、例えば、モニタリングビューアーが用いられる。ユーザは、ディスプレイ装置を通して提供されるモニタリングビューアーを通してモニタリングのための各種のデータ及び全システムの状態を確認し、必要な場合、ＨＭＩシステムに適切な命令を下すことができる。
【０００４】
図１は、従来の技術に係るＨＭＩシステムのモニタリングビューアーの構成を示す。
【０００５】
従来の技術によると、ＨＭＩシステムでは、ユーザにモニタリングのためのデータを提供するために、図１に示されたようなモニタリングビューアーがディスプレイ装置に表示される。モニタリングビューアーは、メニューバー１０２、ツールバー１０４、コマンドバー１０６、状態バー１１０を含むコントロール領域及びビューアー１０８を含むビュー領域で構成される。
【０００６】
従来の技術によると、ユーザによりモニタリングビューアーの実行が要請される場合、図１のようなコントロール領域及びビュー領域を含むモニタリングビューアーがディスプレイ装置に表示される。特に、ビューアー１０８には、モニタリングのための各種のデータを表示するための画面がレンダリングされる。このために、ＨＭＩシステムは、ＨＭＩシステムの内部または外部に配置されるメモリから画面データを獲得し、獲得された画面データに基づいてビューアー１０８にモニタリング画面を表示する。
【０００７】
ところが、図１に示されたように、従来のモニタリングビューアーは、ただ一つのビューアー１０８だけを含む。従って、ユーザが様々なモニタリング情報を同時に得ようとする場合は、図１に示されたようなモニタリングビューアーを多数個実行させなければならない。このように、多数のモニタリングビューアーを同時に実行させる場合、ユーザの立場では、同時に数個のビューアーを管理しなければならない不便がある。また、ＨＭＩシステムの観点では、多数のモニタリングビューアーを実行することにより、システム資源が過度に消耗され、全体的なシステムの性能及び効率が低下する問題がある。
【発明の概要】
【発明が解決しようとする課題】
【０００８】
本発明は、ユーザがより便利かつ効率よくＨＭＩシステムを運営、監視、制御できるモニタリングビューアー表示方法を提供することを目的とする。
【０００９】
また、本発明は、ＨＭＩシステムのモニタリング性能及び効率を上げることのできるモニタリングビューアー表示方法を提供することを他の目的とする。
【００１０】
本発明の目的は、以上において言及した目的に制限されず、言及されていない本発明の他の目的及び長所は、下記の説明によって理解でき、本発明の実施例によってより明らかに理解できるだろう。また、本発明の目的及び長所は、特許請求の範囲に示した手段及びその組み合わせにより実現できることが容易に分かるだろう。
【課題を解決するための手段】
【００１１】
このような目的を達成するための本発明は、ＨＭＩシステムでモニタリングビューアーを表示するための方法において、ユーザから前記モニタリングビューアーの表示要請が入力されると、前記モニタリングビューアーに表示される画面データを獲得するステップ、ディスプレイ上に前記モニタリングビューアーのコントロール領域を表示するステップ、前記ディスプレイ上に前記モニタリングビューアーのビュー領域を表示するステップ、及び前記画面データを利用して前記ビュー領域にモニタリング画面を表示するステップを含み、前記ビュー領域は、一つ以上のタブを含むことを特徴とする。
【発明の効果】
【００１２】
前述したような本発明によると、ユーザがより便利かつ効率よくＨＭＩシステムを運営、監視、制御できる長所がある。
【００１３】
また、本発明によると、ＨＭＩシステムのモニタリング性能及び効率を上げることができる長所がある。
【図面の簡単な説明】
【００１４】
【図１】従来の技術に係るＨＭＩシステムのモニタリングビューアーの構成を示す。
【図２】本発明の一実施例に係るＨＭＩシステムの構成図である。
【図３】本発明の一実施例に係るＨＭＩシステムのモニタリングビューアー表示方法のフローチャートである。
【図４】本発明の一実施例に係るモニタリングビューアーの構成を示す。
【発明を実施するための形態】
【００１５】
前述した目的、特徴及び長所は、添付の図面を参照して詳細に後述され、これによって、本発明の属する技術の分野における通常の知識を有する者が本発明の技術的思想を容易に実施することができるだろう。本発明を説明するにあたって、本発明と関連した公知の技術についての具体的な説明が本発明の要旨を不要に濁す恐れがあると判断される場合は、詳細な説明を省略する。以下、添付の図面を参照して、本発明に係る好ましい実施例を詳細に説明する。図面において同一の参照符号は、同一または類似した構成要素を指すものと用いられる。
【００１６】
図２は、本発明の一実施例に係るＨＭＩシステムの構成図である。
【００１７】
図２を参照すると、本発明の一実施例に係るＨＭＩシステム２０２は、ディスプレイ部２０４及び制御部２０６を含む。
【００１８】
ディスプレイ部２０４は、ユーザにＨＭＩシステムの運営、監視、制御のための情報を表示する。本発明の一実施例において、ディスプレイ部２０４は、図４に示されたようなモニタリングビューアーを表示することができる。
【００１９】
制御部２０６は、ユーザからモニタリングビューアーの表示要請の入力を受け、ユーザの要請によってディスプレイ部２０４にモニタリングビューアーを表示する。
【００２０】
本発明の一実施例において、ユーザからモニタリングビューアーの表示要請が入力されると、制御部２０６は、モニタリングビューアーに表示される画面データを獲得する。また、制御部２０６は、ディスプレイ上にモニタリングビューアーのコントロール領域及びビュー領域を表示する。また、制御部２０６は、先に獲得された画面データを利用してビュー領域にモニタリング画面を表示する。
【００２１】
本発明の一実施例において、制御部２０６は、ユーザからモニタリングビューアーの表示要請が入力される前に、優先画面データを一般メモリからローディングしてキャッシュメモリ２０８に格納することができる。本発明において、「優先画面データ」は、他の画面データより優先的に処理される必要があるデータを意味する。例えば、ユーザは、照会が頻繁であるか、重要なモニタリング画面を優先画面データとして予め指定することができる。
【００２２】
また、制御部２０６は、それぞれの画面データの処理時間を測定し、測定された処理時間が予め指定された基準処理時間を超える画面データを優先画面データに設定することができる。ここで、「処理時間」は、データのローディングまたはレンダリングに要する時間を意味する。
【００２３】
また、「基準処理時間」は、ユーザまたは制御部２０６により任意に設定され得る。本発明においては、このような優先画面データをユーザのモニタリングビューアー表示要請が入力される前に予めキャッシュメモリ２０８に格納することで、より速くモニタリングビューアーを表示することができる。
【００２４】
本発明の一実施例において、制御部２０６は、モニタリングビューアーのビュー領域を表示するために、キャッシュメモリ２０８で画面データを検索することができる。前述したように、キャッシュメモリ２０８には、優先画面データが格納され得るので、制御部２０６は、先にキャッシュメモリ２０８を検索して優先画面データを獲得することができる。また、キャッシュメモリ２０８に対する検索が終了した後、制御部２０６は、一般メモリ２１０から獲得されるデータを利用して画面データを構成することができる。例えば、制御部２０６は、一般メモリ２１０から獲得されるデータをシリアライズ（ｓｅｒｉａｌｉｚｅ）して画面データを生成し、生成された画面データを利用してビュー領域を表示することができる。
【００２５】
本発明の一実施例において、ビュー領域は、一つ以上のタブを含むことができる。また、一つ以上のタブは、活性タブ及び非活性タブを含む。活性タブは、ユーザにより選択され、現在、ディスプレイ上で活性化されるタブを意味し、非活性タブは、活性タブを除く残りのタブを意味する。
【００２６】
本発明の一実施例において、活性タブの更新周期は、非活性タブの更新周期より短く設定され得る。また、本発明の一実施例において、ユーザが非活性タブのいずれか一つを活性化させると、活性化される非活性タブは、更新周期とは関係なく直ちに更新され得る。また、本発明の一実施例において、非活性タブの更新周期は、非活性タブに表示される画面の大きさが大きいほど、さらに短く設定され得る。また、本発明の一実施例において、非活性タブは、活性化される前まで更新されず、活性化されると直ちに更新され得る。
【００２７】
また図２を参照すると、本発明の一実施例に係るＨＭＩシステム２０２は、キャッシュメモリ２０８をさらに含むことができる。キャッシュメモリ２０８は、一般メモリ２１０に比べて読み取り速度及び書き込み速度がより速いメモリを意味する。キャッシュメモリ２０８には、前述したような優先画面データが格納され得る。制御部２０６は、モニタリングビューアーを表示するとき、キャッシュメモリ２０８を優先的に検索して画面データを獲得することで、より速くモニタリングビューアーを表示することができる。
【００２８】
一般メモリ２１０は、モニタリングビューアーに表示される各種のデータを格納する格納媒体である。一般メモリ２１０には、画面データを構成するためのイメージまたはテキストデータ、そしてＨＭＩシステムのモニタリングのための他のデータが格納され得る。
【００２９】
図２には、ＨＭＩシステム２０２がキャッシュメモリ２０８を含むものと示されているが、本発明の他の実施例において、キャッシュメモリ２０８は、ＨＭＩシステム２０２に含まれず、ＨＭＩシステム２０２の外部に存在してもよい。また、図２には、一般メモリ２１０がＨＭＩシステム２０２の外部に存在するものと示されたが、本発明の他の実施例において、一般メモリ２１０は、ＨＭＩシステム２０２内に含まれてもよい。
【００３０】
図３は、本発明の一実施例に係るＨＭＩシステムのモニタリングビューアー表示方法のフローチャートであり、図４は、本発明の一実施例に係るモニタリングビューアーの構成を示す。
【００３１】
以下においては、図２乃至図４を参照して、本発明の一実施例に係るＨＭＩシステムのモニタリングビューアー表示方法について詳細に説明する。
【００３２】
ユーザからモニタリングビューアーの表示要請が入力されると、制御部２０６は、先ず、モニタリングビューアーに表示される画面データを獲得する（３０２）。画面データを獲得するために、制御部２０６は、キャッシュメモリ２０８を優先的に検索することができる。前述したように、キャッシュメモリ２０８には、ユーザにより予め指定された画面データ及びローディング時間が予め指定された基準処理時間を超える画面データの少なくとも一つを含む優先画面データが格納され得る。仮に、このような優先画面データがキャッシュメモリ２０８に格納されていれば、制御部２０６は、優先画面データをローディングし、ディスプレイ上のビュー領域にモニタリング画面をレンダリングすることができる。
【００３３】
制御部２０６は、キャッシュメモリ２０８に対する検索が終了した後、一般メモリ２１０を通して画面データを構成するためのデータを獲得し、獲得されたデータを利用してビュー領域に表示する画面データを構成（シリアライズ）することができる。制御部２０６は、このように構成された画面データをローディングし、ディスプレイ上のビュー領域にモニタリング画面をレンダリングすることができる。
【００３４】
キャッシュメモリ２０８または一般メモリ２１０を検索するとき、制御部２０６は、ユーザが要請するモニタリングビューアーに表示される画面データのキー値（例えば、ファイル名）に基づいて画面データの検索を行うことができる。
【００３５】
一方、図３には示されていないが、制御部２０６は、ステップ３０２以前に、即ち、ユーザからモニタリングビューアーの表示要請が入力される前に、優先画面データを一般メモリからローディングしてキャッシュメモリに格納するステップを行うこともできる。例えば、ユーザが好むか、照会が頻繁な画面を指定する場合、制御部２０６は、指定された画面に対応する画面データを一般メモリ２１０で検索し、検索された画面データを優先画面データとしてキャッシュメモリ２０８に格納することができる。また、制御部２０６は、一般メモリ２１０に格納されたそれぞれの画面データの処理時間を測定し、測定された処理速度が基準処理時間を超える画面データを優先画面データとしてキャッシュメモリ２０８に格納することもできる。
【００３６】
次に、制御部２０６は、ディスプレイ上にモニタリングビューアーのコントロール領域を表示する（３０４）。図４には、本発明の一実施例に係るモニタリングビューアーが示されている。図４において、コントロール領域は、メニューバー４０２、ツールバー４０４、コマンドバー４０６、ステータスバー４１４を含む。
【００３７】
次に、制御部２０６は、ディスプレイ上にモニタリングビューアーのビュー領域を表示する（３０６）。図４において、ビュー領域は、一つ以上のタブ４０８、４１０、４１２、．．．を含む。
【００３８】
参考までに、図３には、制御部２０６がコントロール領域を表示（３０４）した後、ビュー領域を表示（３０６）するものと示されているが、本発明の他の実施例において、制御部２０６は、ビュー領域を先に表示し、コントロール領域を表示することもできる。
【００３９】
次に、制御部２０６は、画面データを利用してビュー領域４０８、４１０、４１２、．．．にモニタリング画面を表示する。制御部２０６は、ビュー領域４０８、４１０、４１２、．．．に対応するそれぞれの画面データを獲得し、獲得された画面データをビュー領域４０８、４１０、４１２、．．．にそれぞれレンダリングしてモニタリング画面を表示することができる。
【００４０】
一方、本発明の他の実施例に係るモニタリングビューアー表示方法は、ユーザからモニタリングビューアーの表示要請が入力されると、モニタリングビューアーに表示される画面データを獲得するステップ（３０２）及び獲得された画面データを利用してモニタリングビューアーのビュー領域にモニタリング画面を表示するステップ（３０８）で構成されてもよい。
【００４１】
図４に示されたように、本発明に係るモニタリングビューアー表示方法により表示されるモニタリングビューアーのビュー領域は、一つ以上のタブで構成される。本発明によると、ユーザは、ただ一つのモニタリングビューアーを実行させ、ビューアー内で多数のタブを生成することにより多数のモニタリング情報を同時に得ることができる。従って、ユーザの立場では、ＨＭＩシステムの運営、監視、制御がより便利になる。また、ＨＭＩシステムの観点では、多数のモニタリングビューアーを実行させる必要がないので、システム資源の消耗が減少し、システムの全体的な性能及び効率が向上する長所がある。
【００４２】
また図４を参照すると、本発明に係るモニタリングビューアー表示方法により表示されるモニタリングビューアーのビュー領域に含まれるタブは、活性タブ及び非活性タブに分けられる。活性タブは、ユーザにより選択され、現在、ディスプレイ上で活性化されるタブを意味し、非活性タブは、活性タブを除く残りのタブを意味する。図４において、タブ４０８は、活性タブであり、タブ４１０、４１２、．．．は、非活性タブである。ユーザは、モニタリングビューアーの使用中、いつでも非活性タブ４１０、４１２、．．．のうち一つを選択して活性タブに切り換えることができる。この場合、既存の活性タブ４０８は、非活性タブに切り換えられる。
【００４３】
図３に示されていないが、本発明の一実施例において、制御部２０６は、活性タブの更新周期と非活性タブの更新周期を互いに異なるように設定することができる。図４に示されたビュー領域のそれぞれのタブ４０８、４１０、４１２、．．．には、ＨＭＩシステムのモニタリングのための様々なデータ（例えば、各装置の電力消費率、温度値等）が表示される。このようなデータは、それぞれのタブ４０８、４１０、４１２、．．．に対応する特定プログラムにより用いられ、一定周期で更新される。従って、それぞれのタブ４０８、４１０、４１２、．．．は、このようなプログラムの周期に対応する固有の更新周期をそれぞれ有する。
【００４４】
ところが、図４のように、一つ以上のタブ４０８、４１０、４１２、．．．がビュー領域に表示される場合、それぞれのタブ４０８、４１０、４１２、．．．の周期によって全タブ４０８、４１０、４１２、．．．を更新すると、システム資源が過度に多く必要となる。従って、発明においては、活性タブ４０８と非活性タブ４１０、４１２、．．．の更新周期が互いに異なるように設定される。
【００４５】
本発明の一実施例において、活性タブ４０８の更新周期は、非活性タブ４１０、４１２、．．．の更新周期より短く設定され得る。例えば、非活性タブ４１０の元来の更新周期が５秒であれば、非活性タブ４１０の実際の更新周期は、５×ｙ（但し、ｙは、自然数）のように設定され得る。これによって、活性タブ４０８は、プログラムが要求する元来の更新周期によってそのまま更新されるが、非活性タブ４１０、４１２、．．．は、元来の更新周期より遅く更新される。このように、非活性タブ４１０、４１２、．．．の更新周期をより長く設定することで、非活性タブ４１０、４１２、．．．の更新に消耗されるシステム資源が減少するようになる。
【００４６】
本発明の一実施例において、活性タブ４０８と非活性タブ４１０、４１２、．．．の更新周期は、それぞれユーザにより任意に設定されてもよい。
【００４７】
また、本発明の一実施例において、ユーザが非活性タブ４１０、４１２、．．．のいずれか一つを活性化させると、制御部２０６は、活性化される非活性タブを直ちに更新することができる。例えば、図４のように、モニタリングビューアーが表示されているとき、ユーザが非活性タブ４１０を選択して活性化させると、制御部２０６が設定した更新周期（５×ｙ）とは関係なく、制御部２０６は、非活性タブ４１０を直ちに更新し、活性タブに切り換える。これによって、活性タブ４０８は、非活性タブに切り換えられる。
【００４８】
一方、本発明の一実施例において、制御部２０６は、非活性タブの更新周期を設定するとき、非活性タブに表示される画面の大きさが大きいほど、更新周期をさらに短く設定することができる。非活性タブに表示される画面の大きさが大きいほど、画面を更新するのに消耗される時間が増加するようになる。従って、制御部２０６は、非活性タブに表示される画面の大きさが大きいほど更新周期を短く設定することにより、ユーザが非活性タブを活性化タブに切り換える時の更新遅延を減らすことができる。
【００４９】
また、本発明の一実施例において、制御部２０６は、非活性タブ４１０、４１２、．．．が活性化される前まで非活性タブ４１０、４１２、．．．を全く更新しなくてもよい。例えば、図４のように、モニタリングビューアーが表示されているとき、制御部２０６は、ただ活性タブ４０８だけを元来の更新周期によって更新し、非活性タブ４１０、４１２、．．．に対しては、更新を全く行わなくてもよい。このとき、ユーザが非活性タブ４１０、４１２、．．．のいずれか一つ４１０を選択して活性化させようとすれば、制御部２０６は、ユーザが選択したタブ４１０を直ちに更新し、活性化タブに切り換える。このような制御によって、非活性タブ４１０、４１２、．．．の更新に消耗される資源がより減少し、システムの性能を向上させることができる。
【００５０】
また、本発明の他の実施例において、制御部２０６は、予め設定された入力時間の間、外部入力が受信されなければ、外部入力が受信されるまで最初に設定された全タブ４０８、４１０、４１２、．．．の更新周期を増加させるか、または全タブ４０８、４１０、４１２、．．．に対しては更新を全く行わなくてもよい。ここで、外部入力は、ユーザから入力される選択信号であってよい。
【００５１】
このような制御によって、ユーザがＨＭＩシステムを使用しない間、全タブ４０８、４１０、４１２、．．．の更新に消耗される資源を減少し、システムの性能を向上させることができる。
【００５２】
前述した本発明は、本発明の属する技術の分野における通常の知識を有する者にとって、本発明の技術的思想を外れない範囲内で種々の置換、変形及び変更が可能であるので、前述した実施例及び添付の図面により限定されるものではない。
一側面において、本発明は以下の発明を包含する。
（発明１）
ＨＭＩシステムでモニタリングビューアーを表示するための方法において、
ユーザから前記モニタリングビューアーの表示要請が入力されると、前記モニタリングビューアーに表示される画面データを獲得するステップ；及び
前記画面データを利用して前記モニタリングビューアーのビュー領域にモニタリング画面を表示するステップを含み、
前記ビュー領域は、一つ以上のタブを含み、
前記一つ以上のタブは、活性タブ及び非活性タブを含み、
前記活性タブの更新周期と前記非活性タブの更新周期は、互いに異なるように設定され、前記非活性タブの更新周期は、前記非活性タブに表示される画面の大きさが大きいほど、より短く設定される、
モニタリングビューアー表示方法。
（発明２）
前記ユーザから前記モニタリングビューアーの表示要請が入力される前に、優先画面データを一般メモリからローディングしてキャッシュメモリに格納するステップをさらに含む、
発明１に記載のモニタリングビューアー表示方法。
（発明３）
前記優先画面データは、
前記ユーザにより予め指定された画面データ及び処理時間が予め指定された基準処理時間を超える画面データの少なくとも一つを含む、
発明２に記載のモニタリングビューアー表示方法。
（発明４）
前記モニタリングビューアーに表示される画面データを獲得するステップは、
キャッシュメモリを検索して前記画面データを獲得するステップ；及び
一般メモリから獲得されるデータを利用して前記画面データを構成するステップを含む、
発明１乃至３のいずれか一項に記載のモニタリングビューアー表示方法。
（発明５）
前記活性タブの更新周期は、前記非活性タブの更新周期より短く設定される、
発明１乃至４のいずれか一項に記載のモニタリングビューアー表示方法。
（発明６）
ユーザが前記非活性タブのいずれか一つを活性化させると、活性化される非活性タブが直ちに更新される、
発明１乃至５のいずれか一項に記載のモニタリングビューアー表示方法。
（発明７）
前記非活性タブは、活性化される前まで更新されず、活性化されると直ちに更新される、
発明１乃至６のいずれか一項に記載のモニタリングビューアー表示方法。
（発明８）
ディスプレイ上に前記モニタリングビューアーのコントロール領域を表示するステップ；及び
前記ディスプレイ上に前記モニタリングビューアーのビュー領域を表示するステップをさらに含む、
発明１乃至７のいずれか一項に記載のモニタリングビューアー表示方法。
【図１】
0006312780.tif 000002
【図２】
0006312780.tif 000003
【図３】
0006312780.tif 000004
【図４】
0006312780.tif 000005